(57)【要約】本発明は、標準カットのガラスドアのための安全錠に関する。この安全錠は、内部にハンガリー型のロックシリンダ（１１）がきつく取り付けられる、減じた寸法形状のロック機構がある内部空間を構成する、二つのカバー（１及び９）と受板（１３）とを有する。ロック機構は、ベースカバー（１）の一部分によって構成され、ベースに対して垂直な壁が、二つの平行な鋸歯状壁を有し、受板（１３）に対して垂直な実質的に矩形のボックスを形成する。このボックスの内側には、溝の付いた下プレート（２）、ロッキングプレート（３）、ピン（４）、ばね（５）及び溝の付いた上プレート（７）によって構成された内部機構が配置され、下プレート及び上プレートは互いに合致する。ロッキングプレート（３）は、一つの先端にシャフトを有し、外周に歯状形成部を有し、ばね（５）は、内部機構の下プレート（２）及び上プレート（７）の中にロッキングプレート（３）を固定するのに使用されるピン（４）が固定される位置に隣接してロッキングプレート（３）内の凹部に嵌め込まれる。
2005519210.tif 000002
【特許請求の範囲】
【請求項１】
ドア用、特に、標準カットの厚さ８乃至１２ｍｍのガラスドア用の安全錠であって、
内側に減じた寸法形状のロック機構が在る内部空間を構成する二つのベースカバー（１，９）と、ドラグ片を含むロックシリンダ（１１）と、を有し、
前記ロック機構は、前記ベースカバー（１）の一部分によって構成され、ベースに垂直な壁が、二つの平行な鋸歯状壁、前壁及び後壁を有し、実質的に矩形のボックスを形成し、
前記ボックスの内側に、溝付き下プレート（２）、ロッキングプレート（３）、ピン（４）、ワイヤループ形状を有するばね（５）及び溝付き上プレート（７）によって構成された内部機構が配置され、前記下及び上プレート（２、７）の溝は互いに合致し、ロックボルト（６Ａ、６Ｂ）が保持ピン（８）により、前記下及び上プレート（２，７）に取り付けられ、
ロッキングプレート（３）は、ボルト（４）を収容する側孔と、外周の歯形成部とを有し、ばね（５）は、ピン（４）に隣接してロッキングプレート（３）の凹部に嵌め込まれ、このピン（４）はまた、前記内部機構の下プレート（２）及び上プレート（７）の孔に収容され、前記ピンは、前記ばね（５）の軸線であり、且つ、前記下及び上プレート（２，７）の間に配置される前記ロッキングプレート（３）の回転シャフトであり、
前記ロックシリンダ（１１）の前記ドラグ片が回されるとき、前記ドラグ片は、前記ばね（５）によって初期ロック位置に在る前記ロッキングプレート（３）を駆動し、前記ロッキングプレート（３）の歯を、前記ボックスの鋸状形成部から外し、前記ロッキングプレート（３）を第一ロック位置から解放して、前記内部機構の下プレート（２）及び上プレート（７）の第一溝に係合させ、前記ロッキングプレート（３）を、第一距離の関連したロックボルト（６Ａ、６Ｂ）とともに移動させ、ドラグ片がちょうどロックボルト（３）を駆動しないときに、ロッキングプレート（３）は、ロッキングプレート（３）の第二位置で、前記ばね（５）の圧力によって、鋸状形成部野中へロックされ、前記シリンダ（１１）の回転運動を繰り返すと、シリンダ（１１）のドラグ片は、前記ロッキングプレート（３）に再び働いて、ロッキングプレート（３）を第二ロック位置から解放して、ロッキングプレート（３）を内部機構の下及び上プレート（２，７）の第二溝の中へ係合させ、前記内部機構を、第二距離の関連したラッチボルト（６Ａ，６Ｂ）とともに移動させ、前記ロッキングプレート（３）は、第三位置で、前記ばね（５）の圧力によって、再びロックされ、
前記ロッキングプレート（３）は、ロッキングプレート（３）の内周で、前記録シリンダ（１１）のドラグ片によって駆動され、ロッキングプレート（３）の外周の歯によりロックされる、ことを特徴とする安全錠。
【請求項２】
前記シリンダ（１１）の前記ドラグ片の、前記ロッキングプレートに及ぼす作用が、前記内部機構（２，３，４，５，６，７及び８）を解放し、前記ロッキングプレート（３）に及ぼす前記ばね（５）の圧力が、あらゆる状態、即ち、開状態、第一回転後の中間ロック状態、及び第二回転後の最終ロック状態において、前記内部機構（２，３，４，５，６，７及び８）をロックする、ことを特徴とする請求項１記載の安全錠。
【請求項３】
錠は、内部機構（２，３，４，５，６，７及び８）を逆にするのに十分であるので、右開きか左開きのいずれのドアにも働く、ことを特徴とする請求項１又は２記載の安全錠。
【請求項４】
前記内部機構の下及び上プレート（２，７）は、一つの部品に合体される、ことを特徴とする請求項１乃至３の何れか一項に記載の安全錠。
【請求項５】
前記ロックシリンダ（１１）は、ハンガリー型のロックシリンダである、ことを特徴とする請求項１乃至４のいずれか一項に記載の安全錠。
【発明の詳細な説明】
【技術分野】
【０００１】
本発明は、現行の錠より簡単である、標準カットを有する、特にガラスドア用の安全錠に関する。本発明による安全錠は、ガラスドア用に設計されているけれども、異なる適当なカバーと関連して他の用途を有することことができる。
【０００２】
本発明は、占有する空間の減少を可能にし、且つロックシリンダの一回転以上の回転可能性を与えるロック機構の特別な構造を特徴とする。
【０００３】
ガラスドア用安全錠は、当該分野で周知であり、且つ、全世界で使用され、そのため、８乃至１２ｍｍの範囲の厚さを有する標準カットの強化ガラスドアに適用されるときに、この種類の安全錠によって与えられる困難がよく知られている。このカットは、この種類の錠に、即ち、今までハンガリー型ロックシリンダのようなロックシリンダに使用が制限されていた、安全錠の寸法を劇的に減じた寸法形状のものである。
【発明の開示】
【発明が解決しようとする課題】
【０００４】
本発明の目的は、強化ガラスで作られたガラスドア用の安全錠であり、８乃至１２ｍｍの範囲の厚さを有する標準カットのガラスドアに特に適用されるものである。この安全錠はまた、他の用途も有する。本発明の目的は、どんな種類のロックシリンダとも、例えば、ハンガリー型ロックシリンダと関連させてもよい、減じた寸法形状（幅及び高さ）を有する安全錠である。
【課題を解決するための手段】
【０００５】
この安全錠は、内部にロック機構とロックシリンダが在る内部空間を構成する二つのカバー及び一つの受板を有するケース手段によって構成される。このロック機構は、好ましくは、四角形断面を有する、適当な厚さを有し、少なくとも直線の鋸歯形成部を有し、好ましくは、このタイプの二つの平行な壁を有する壁によって境界付けられた、好ましくは、四角形状の、前記カバーの一つと関連したボックスによって構成された固定ロック手段と、ロックシリンダ手段に連結されたドラグ手段を介して従動手段と結合された内部ロック手段と、によって構成される。これらの従動手段は、従動手段の内周に位置決めされた一つの歯形成部への上述のドラグ手段の作用により、前後に動かされる。内部ロック手段は、上述のロックシリンダ手段のドラグ手段によって動かされ、内部ロック手段の周囲に配置された前記歯型形成部の係合によって、前記鋸歯状形成部の中へロックされる。前記内部ロック手段をロックすることは、内部ロック手段の周縁部に配置されたシャフトとを中心にした内部ロック手段の回転によって行われ、また、前記内部ロック手段をロック解除することは、シャフトに隣接したばね手段の圧力によって行われる。ボルト手段は、前記従動手段と関連づけられ、前記従動手段と同期して、前方又は後方に動かされる。これらの新しい手段の使用により、任意のロックシリンダ手段、例えば、ハンガリー型のものの使用を可能にし、そして、マスターキーの使用を可能にし、さらに、内部機構を逆にするだけで、右開きか左開きのいずれのドアにも使用を可能にする。最後に、これらの手段が完全に安全錠の内部にあり、ロックシリンダ手段は前記ボックス手段によって保護されているから、これらの手段は、高い水準の安全性及び信頼性を提供する。
より良く理解するために、本発明の実施形態が、添付の図面に示す非限定例として、詳細に開示される。
【発明を実施するための最良の形態】
【０００６】
図１には、８乃至１２ｍｍの範囲の厚さを有する標準カットのガラスドアに使用するようになった本発明による安全錠の実施形態が示されている。安全錠は、内部空間を構成する二つのカバー１及び９と一つの受板１３とを有し、その内側には、減じた寸法形状のロック機構があり、ハンガリー型ロックシリンダー１１が二つのねじ１２によってきつく取り付けられる。ロック機構は、ベースカバー１の一部分によって構成され、ベースに対して垂直な壁が、受板１３に垂直で、二つの平行な鋸歯状壁を有する実質的に矩形のボックスを形成する。このボックスの内側には、溝付きの下プレート２、ロッキングプレート３、ピン４、ばね５、及び溝付きの上プレート７によって構成された内部機構が配置され、下プレート及び上プレートの溝は互いに合致する。前記プレート２及び７が保持ピン８より関連して、二つのロッドを有することがあるロックボルト６が装入される。ロックカバー９は、ねじ１０によって、ベースカバー１及び受板１３に取り付けられる。ロッキングプレート３は、一つの先端にシャフトを有し、外周に一つの歯形成部を有し、バネ５は、内部機構の下プレート２及び上プレート７の中にロッキングプレート３を取り付けるのに使用されるピンが固定される位置に隣接したロッキングプレート３の凹部に嵌め込められる。このピンは、ロッキングプレート３のシャフトであり、ばね５の軸線と合致する。
【０００７】
図１４には、下プレート２及び上プレート７を単一部品に合体させた内部機構の更なる実施形態が示されている。
【０００８】
ロックシリンダ１１のドラグ片が回されるとき、ドラグ片は、ロッキングプレート３を駆動して、ロッキングプレート３の歯を前記ボックスの鋸歯状形成部から外し、ロッキングプレート３を第一ロック位置（図９）から解放して、ロッキングプレート３を内部機構の下プレート２及び上プレート７の第一溝の中へ係合させ、ロッキングプレート３を第一距離の関連したロックボルト６Ａ及び６Ｂ（図１０）とともに移動させ、ロックドラグ片が前記ロッキングプレート３に作用するのをちょうど終えたときに、ロッキングプレート３は、ばね５の圧力により、ロッキングプレート３の第二位置（図１０）でロックされる。
【０００９】
シリンダ１１の回転運動をもう一度繰り返せば、シリンダ１１のドラグ片が、前記ロッキングプレート３に再び働いて、ロッキングプレート３を第二ロック位置（図１０）から解放して、ロッキングプレート３を内部機構の下プレート２及び上プレート７の第二溝の中へ係合させ、前記内部機構を第二距離の関連したロックボルト６Ａ又は６Ｂとともに移動させ、前記ドラグ片が、内部機構２，３，４，５，６，７及び８を解放する前記ロッキングプレート３に働くのを終え、且つ、前記ロッキングプレートに及ぼす前記ばね５の作用があるときに、前記ロッキングプレート３は、ばね５の圧力によって、第三の位置（図１１）に再びロックされ、ドラグ片は、内部機構２，３，４，５，６，７及び８を、内部機構の全ての条件、即ち、開状態（図９）、第一回転後の中間ロック状態（図１０）及び第二回転後の最終ロック状態（図１２）にロックする。
【００１０】
この安全錠は他のものと異なる、なぜならば、ロッキングプレート３は、その内周で駆動され、その外周によりロックするからである。
【００１１】
前記カバー９（図１１）は、その内側に前記ロックシリンダー１１を収容するために、特別な形状を有する。
【００１２】
この発明の安全錠は、その内部機構（２，３，４，５，６，７及び８）（図１２参照）を逆にするのに十分であるので、右から開く（図１２）か左から開くか（図９）のいずれのドアにも働くことができる。
【図面の簡単な説明】
【００１３】
【図１】本発明による錠の分解斜視図である。
【図２】固定したロックシリンダを有するロックベースプレートの側面図である。
【図３】内部機構の下プレートの側面図である。
【図４】ロッキングプレート、関連したバネ、及びロッキングプレートの保持ピンの側面図である。
【図５】二つのタイプのロックボルト、即ち、ロッド及びボルトを示す。
【図６】内部機構の上プレートの側面図であり、また、下プレートの中へ入る保持ピンを示す。
【図７】錠の受板の正面図である。
【図８】取付螺子を示すロックカバーの正面図である。
【図９】開状態でのロック機構の側面図である。
【図１０】ロックシリンダの第一回転後の、中間ロック状態のロック機構の側面図である。
【図１１】ロックシリンダの第二回転後の、最終ロック状態のロック機構の側面図である。
【図１２】内部機構を逆にした側面図である。
【図１３】ガラスドアにロックを取り付けた（長手方向の）上面図である。
【図１４】単一部品に合体させたロック機構の上プレート及び下プレートの更なる実施形態の正面図及び側面図である。
【図１】
2005519210.tif 000003
【図２】
2005519210.tif 000004
【図３】
2005519210.tif 000005
【図４】
2005519210.tif 000006
【図５】
2005519210.tif 000007
【図６】
2005519210.tif 000008
【図７】
2005519210.tif 000009
【図８】
2005519210.tif 000010
【図９】
2005519210.tif 000011
【図１０】
2005519210.tif 000012
【図１１】
2005519210.tif 000013
【図１２】
2005519210.tif 000014
【図１３】
2005519210.tif 000015
【図１４】
2005519210.tif 000016
【国際調査報告】
2005519210.tif 000017
2005519210.tif 000018